(57)【要約】      （修正有）【課題】電気式切断機構を有する電気外科脈管密封器具を作動させるための装置を提供する。【解決手段】シャフト１６を支持するハウジング４;１対の対向する第一の顎部材１２および第二の顎部材１４であって、各顎部材は、間隔を開けた１対の導電性の組織密封表面を備え、顎部材のうちの少なくとも一方は、導電性の切断要素を備える、第一の顎部材および第二の顎部材;ならびにハウジング上に作動可能に配置されたスイッチアセンブリ８であって、該スイッチアセンブリは、電気外科エネルギーの供給源に作動可能に通信している起動部材３８を備え、起動部材は、非アクティブ構成から、組織を密封するために電気外科エネルギーを、組織密封表面に提供するための第一のアクティブ構成、および密封された組織を切断するために、電気外科エネルギーを切断要素に提供するための第二のアクティブ構成に移動可能である、スイッチアセンブリを備える、電気外科鉗子。【選択図】図１Ａ
2013233429.tif 000002
【特許請求の範囲】
【請求項１】
シャフトを支持するハウジングであって、該シャフトは長手方向軸を規定する、ハウジング;
１対の対向する第一の顎部材および第二の顎部材であって、各顎部材は、間隔を開けた１対の導電性の組織密封表面を備え、該組織密封表面は、電気外科エネルギーの供給源に接続されるように適合されており、その結果、該組織密封表面は、該該組織密封表面間に保持された組織に通して電気外科エネルギーを伝導して密封を行うことが可能であり、該第一の顎部材および該第二の顎部材のうちの少なくとも一方は、該顎部材上に配置された導電性の切断要素を備える、第一の顎部材および第二の顎部材;ならびに
該ハウジング上に作動可能に配置されたスイッチアセンブリであって、該スイッチアセンブリは、電気外科エネルギーを該第一の顎部材および該第二の顎部材に提供するための電気外科エネルギーの供給源に作動可能に通信している起動部材を備え、該起動部材は、非アクティブ構成から、第一のアクティブ構成および第二のアクティブ構成に移動可能であり、該第一のアクティブ構成は、組織を密封するために電気外科エネルギーを該組織密封表面に提供するための構成であり、そして該第二のアクティブ構成は、密封された該組織を切断するために電気外科エネルギーを該切断要素に提供するための構成である、スイッチアセンブリ
を備える、電気外科鉗子。
【請求項２】
起動部材が、前記ハウジングの近位端に作動可能に配置されており、そして該起動部材を前記第一のアクティブ構成および前記第二のアクティブ構成のうちの一方に置くために、前記長手方向軸に沿って移動可能である、請求項1に記載の電気外科鉗子。
【請求項３】
起動部材が、前記ハウジングの中心近くに作動可能に配置されており、そして該起動部材を前記第一のアクティブ構成および前記第二のアクティブ構成のうちの一方に置くために、前記長手方向軸を横切るように移動可能である、請求項1に記載の電気外科鉗子。
【請求項４】
前記起動部材が、前記ハウジングの左側からでも右側からでもアクセス可能である、請求項1に記載の電気外科鉗子。
【請求項５】
前記起動部材が、ロッカースイッチおよびスイッチ棒のうちの１つである、請求項1に記載の電気外科鉗子。
【請求項６】
前記ロッカースイッチが、上部分および下部分を備え、該上部分および該下部分は、押下されると、該ロッカースイッチをそれぞれの第一のアクティブ構成および第二のアクティブ構成に置くように構成されている、請求項5に記載の電気外科鉗子。
【請求項７】
前記スイッチ棒が、上押下可能部分および下押下可能部分を備え、該上押下可能部分および該下押下可能部分は、該スイッチ棒を前記第一のアクティブ構成および前記第二のアクティブ構成にそれぞれ置くように構成されており、該上押下可能部分および上押下可能部分および下押下可能部分下押下可能部分は、押下されると点灯するように構成されている、請求項5に記載の電気外科鉗子。
【請求項８】
前記スイッチ棒は、左押下可能部分および右押下可能部分を備え、該左押下可能部分および該右押下可能部分は、前記第一の顎部材および前記第二の顎部材に提供される前記電気外科エネルギーの電力強度レベルを調節するように構成されており、そして水平に配置された複数の点灯可能部材が、該左押下可能部分と該右押下可能部分との間に配置されており、該第一の顎部材および該第二の顎部材に提供される該電気外科エネルギーの該電力強度レベルを使用者に示す、請求項7に記載の電気外科鉗子。
【請求項９】
ハウジング;
１対の対向する第一の顎部材および第二の顎部材であって、該第一の顎部材および該第二の顎部材のうちの少なくとも一方は、他方に対して第一の位置から第二の位置へと移動可能であり、該第一の位置において、該第一の顎部材および該第二の顎部材は、互いに対して間隔を空けた関係で配置されており、該第二の位置において、該第一の顎部材および該第二の顎部材は、該第一の顎部材と該第二の顎部材との間に組織を把持するように協働し、各顎部材は、間隔を開けた１対の導電性の組織密封表面を備え、該織密封表面は、電気外科エネルギーの供給源に接続されるように適合されており、その結果、該組織密封表面は、該織密封表面間に保持された組織に通して電気外科エネルギーを伝導して密封を行うことが可能であり、該第一の顎部材および該第二の顎部材のうちの少なくとも一方は、該顎部材に配置された導電性の切断要素を備える、第一の顎部材および第二の顎部材;
該ハウジングに作動可能に配置された第一のスイッチアセンブリであって、該第一のスイッチアセンブリは、組織を密封するために該組織密封表面に電気外科エネルギーを提供するための該電気外科エネルギーの供給源と作動可能に通信している起動部材を備える、第一のスイッチアセンブリ;
ラッチが掛かった構成およびラッチが外れた構成を有するレバーであって、該レバーは、該電気外科エネルギーの供給源と作動可能に通信している第二のスイッチアセンブリと作動可能に通信しており、その結果、該ラッチが外れた構成において、電気外科エネルギーが該切断要素に提供される、レバー;ならびに
可動ハンドルを備えるハンドルアセンブリであって、該可動ハンドルは、該少なくとも１つの可動顎部材を該第一の位置から該第二の位置へと移動させるように構成されており、該可動ハンドルは、該レバーと作動可能に連絡しており、そして該レバーを該ラッチが掛かった構成から該ラッチが外れた構成へと移動させるように構成されている、ハンドルアセンブリ
を備える、電気外科鉗子。
【請求項１０】
ハウジング;
１対の対向する第一の顎部材および第二の顎部材であって、各顎部材は、間隔を開けた１対の導電性の組織密封表面を備え、該組織密封表面は、電気外科エネルギーの供給源に接続されるように適合されており、その結果、該組織密封表面は、該組織密封表面間に保持された組織に通して電気外科エネルギーを伝導して密封を行うことが可能であり、該第一の顎部材および該第二の顎部材のうちの少なくとも一方は、該顎部材に配置された導電性の切断要素を備える、第一の顎部材および第二の顎部材;ならびに
起動部材および選択機を備えるスイッチアセンブリであって、該起動部材は、電気外科エネルギーを該第一の顎部材および該第二の顎部材に提供するための該電気外科エネルギーの供給源と作動可能に通信しており、そして該選択機は、使用者が該電気外科鉗子を少なくとも２つの作動モードに選択的に置くことを可能にするように構成されており、該少なくとも２つの作動モードは、密封モードおよび切断モードであり、該密封モードにおいて、該起動部材の起動は、組織を密封するために電気外科エネルギーを該組織密封表面に供給し、そして該切断モードにおいて、該起動部材の起動は、密封された該組織を切断するために、電気外科エネルギーを該切断要素に提供する、スイッチアセンブリ
を備える、電気外科鉗子。
【請求項１１】
前記選択機は、前記ハウジングの左側および右側のいずれか一方に配置された回転ダイヤルである、請求項10に記載の電気外科鉗子。
【請求項１２】
前記起動部材は押下可能ボタンである、請求項10に記載の電気外科鉗子。
【請求項１３】
前記起動部材および前記選択機を備える前記スイッチアセンブリは、前記ハウジングに作動可能に支持されている、請求項10に記載の電気外科鉗子。
【請求項１４】
前記選択機を備える前記スイッチアセンブリは、前記ハウジングに作動可能に支持されており、そして前記起動部材はフットスイッチである、請求項10に記載の電気外科鉗子。
【請求項１５】
前記選択機は、使用者が前記電気外科鉗子を少なくとも３つの作動モードに選択的に置くことを可能にするように構成されており、該少なくとも３つの作動モードは、密封モード、切断モード、および自動モードであり、該自動作動モードにおいて、切断プロセスおよび密封プロセスは、前記電気外科エネルギーの供給源によって自動的に制御される、請求項10に記載の電気外科鉗子。
【請求項１６】
ハウジング;
１対の対向する第一の顎部材および第二の顎部材であって、各顎部材は、間隔を開けた１対の導電性の組織密封表面を備え、該組織密封表面は、電気外科エネルギーの供給源に接続されるように適合されており、その結果、該組織密封表面は、該組織密封表面間に保持された組織に通して電気外科エネルギーを伝導して密封を行うことが可能であり、該第一の顎部材および該第二の顎部材のうちの少なくとも一方は、該顎部材上に配置された導電性の切断要素を備える、第一の顎部材および第二の顎部材;
該ハウジング上に作動可能に配置されたスイッチアセンブリであって、該スイッチアセンブリは、組織を密封するために、電気外科エネルギーを該組織密封表面に提供するための該電気外科エネルギーの供給源と作動可能に通信している押下可能起動部材を備える、スイッチアセンブリ;ならびに
密封された該組織を切断するために、電気外科エネルギーを該切断要素に提供するための電気外科エネルギーの供給源と作動可能に通信しているフットスイッチ
を備える、電気外科鉗子。
【請求項１７】
前記フットスイッチは、作動スイッチが押下されているときにのみ機能する、請求項16に記載の電気外科鉗子。
【請求項１８】
ハウジング;
１対の対向する第一の顎部材および第二の顎部材であって、各顎部材は、間隔を開けた１対の導電性の組織密封表面を備え、該組織密封表面は、電気外科エネルギーの供給源に接続されるように適合されており、その結果、該組織密封表面は、該組織密封表面間に保持された組織に通して電気外科エネルギーを伝導して密封を行うことが可能であり、該第一の顎部材および該第二の顎部材のうちの少なくとも一方は、該顎部材上に配置された導電性の切断要素を備える、第一の顎部材および第二の顎部材;ならびに
該ハウジングに作動可能に配置されたタッチスクリーンであって、該タッチスクリーンは、該ハウジングおよび該電気外科エネルギーの供給源のうちの一方に配置された少なくとも１つのコンピュータと作動可能に通信しており、該タッチスクリーンは、少なくとも２つのタッチスクリーンボタン、１つの密封ボタンおよび１つの切断ボタンを提供する、タッチスクリーン
を備え、
該密封ボタンの起動は、電気外科エネルギーを該組織密封表面に提供して組織を密封し、そして該切断ボタンの起動は、電気外科エネルギーを該切断要素に提供して、密封された該組織を切断する、電気外科鉗子。
【請求項１９】
前記タッチスクリーンは、フィードバックを外科医に提供するように構成されており、そして前記組織密封表面の切断要素に提供される前記電気外科エネルギーの電力強度レベルを外科医が調節することを可能にするように構成されている、請求項18に記載の電気外科鉗子。
【請求項２０】
ハウジング;
１対の対向する第一の顎部材および第二の顎部材であって、各顎部材は、間隔を開けた１対の導電性の組織密封表面を備え、該組織密封表面は、電気外科エネルギーの供給源に接続されるように適合されており、その結果、該組織密封表面は、該組織密封表面間に保持された組織に通して電気外科エネルギーを伝導して密封を行うことが可能であり、該第一の顎部材および該第二の顎部材のうちの少なくとも一方は、該顎部材上に配置された導電性の切断要素を備える、第一の顎部材および第二の顎部材;
該ハウジング上に作動可能に配置されたスイッチアセンブリであって、該スイッチアセンブリは、組織を密封するために、電気外科エネルギーを該組織密封表面に提供するための該電気外科エネルギーの供給源と作動可能に通信している起動部材を備える、スイッチアセンブリ;ならびに
該ハウジング上に作動可能に配置されたプログレッシブタッチパッドであって、該プログレッシブタッチパッドは、該ハウジングおよび該電気外科エネルギーの供給源のうちの一方に配置された少なくとも１つのコンピュータと作動可能に通信しており、該タッチパッドは、作動させられると、密封された該組織を切断するために、電気外科エネルギーを該切断要素に提供するように構成されている、プログレッシブタッチパッド
を備える、電気外科鉗子。
【請求項２１】
回転可能なシャフトを支持するハウジング;
１対の対向する第一の顎部材および第二の顎部材であって、各顎部材は、間隔を開けた１対の導電性の組織密封表面を備え、該組織密封表面は、電気外科エネルギーの供給源に接続されるように適合されており、その結果、該組織密封表面は、該組織密封表面間に保持された組織に通して電気外科エネルギーを伝導して密封を行うことが可能であり、該第一の顎部材および該第二の顎部材のうちの少なくとも一方は、該顎部材上に配置された導電性の切断要素を備える、第一の顎部材および第二の顎部材;ならびに
該ハウジング上に作動可能に配置されたスイッチアセンブリであって、該スイッチアセンブリは、電気外科エネルギーを該第一の顎部材および第二の顎部材に供給するための該電気外科エネルギーの供給源と作動可能に通信している、磁気で起動する起動部材を備え、該磁気で起動する起動部材は、第一の磁石および第二の磁石を備え、該第一の磁石は、対応する第一のスイッチと接触すると該第一のスイッチを閉じるように構成されており、そして該第二の磁石は、対応する第二のスイッチと接触すると該第二のスイッチを閉じるように構成されており、その結果、該第一のスイッチの起動は、組織を密封するために電気外科エネルギーを該組織密封表面に提供し、そして該第二のスイッチのアクティブへの起動は、密封された該組織を切断するために電気外科エネルギーを該切断要素に提供する、スイッチアセンブリ
を備える、電気外科鉗子。
【請求項２２】
前記第一の磁石および前記第二の磁石が、前記ハウジング内で前記シャフトの近位端に隣接して支持されており、そして該ハウジング上のスライドの移動は、前記第一の磁石および前記第二の磁石を、前記対応するスイッチと接触させる、請求項21に記載の電気外科鉗子。
【請求項２３】
ハウジング;
１対の対向する第一の顎部材および第二の顎部材であって、該第一の顎部材および該第二の顎部材のうちの少なくとも一方は、他方に対して、第一の位置から第二の位置へと移動可能であり、該第一の位置において、該第一の顎部材および該第二の顎部材は、互いに対して間隔を空けた関係で配置され、そして該第二の位置において、該第一の顎部材および該第二の顎部材は、該第一の顎部材と該第二の顎部材との間に組織を把持するように協働し、各顎部材は、間隔を開けた１対の導電性の組織密封表面を備え、該組織密封表面は、電気外科エネルギーの供給源に接続されるように構成されており、その結果、該組織密封表面は、該組織密封表面間に保持された組織に通して電気外科エネルギーを伝導して密封を行うことが可能であり、該第一の顎部材および該第二の顎部材のうちの少なくとも一方は、該顎部材上に配置された導電性の切断要素を備える、第一の顎部材および第二の顎部材;ならびに
該電気外科エネルギーの供給源と作動可能に通信している少なくとも１つのセンサであって、該少なくとも１つのセンサは、該少なくとも１つの可動顎部材が該第二の位置にあって組織が第一の顎部材と第二の顎部材との間に把持されているときを検出するように構成されており、その結果、該第一の顎部材および第二の顎部材が該第二の位置にある場合、該電気外科エネルギーの供給源は、自動的に、組織を密封するために電気外科エネルギーを該組織密封表面に提供し、そしてその後、密封された該組織を切断するために電気外科エネルギーを該切断要素に提供する、センサ
を備える、電気外科鉗子。
【請求項２４】
前記少なくとも１つのセンサが、前記電気外科鉗子の可動ハンドルと作動可能に通信しており、そして該可動ハンドルがラッチが外れた構成に移動したときを検出するように構成されている、請求項23に記載の電気外科鉗子。
【請求項２５】
前記少なくとも１つのセンサが、前記第一の顎部材および前記第二の顎部材と作動可能に通信しており、そして該第一の顎部材および該第二の顎部材が前記第二の位置にあるときを検出するように構成されている、請求項23に記載の電気外科鉗子。
【発明の詳細な説明】
【技術分野】
【０００１】
（背景）
（技術分野）
本開示は、電気式切断機構を有する電気外科脈管密封器具を作動させるための装置に関する。より特定すると、本開示は、密封シーケンスおよび電極切断シーケンスを作動させるために利用される、切り替え装置に関する。
【背景技術】
【０００２】
（関連技術の説明）
観血電気外科鉗子または内視鏡電気外科鉗子は、機械的クランプ作用と電気エネルギーとの両方を利用して、止血を行う。特定の外科手術手順は、クランプ圧力と、電気外科エネルギーと、ギャップ距離との組み合わせに依存して、組織、脈管および特定の脈管束を「密封」する。より特定すると、脈管の密封および組織の密封は、無線周波数エネルギーと、クランプ圧力と、ギャップ距離(すなわち、組織の周りで閉じられたときの対向する顎部材間の距離)の正確な制御との組み合わせを利用して、対向する２つの顎部材間または密封プレート間の組織を効果的に密封または融合させる。
【０００３】
代表的に、そして特に内視鏡電気外科手順に関して、一旦、脈管が密封されると、外科医は、密封用器具を手術部位から除き、カニューレを通して新たな器具で置き換え、そして新たに形成された組織密封部に沿って、脈管を正確に切断しなければならない。理解され得るように、このさらなる工程は、時間を浪費し(特に、かなり多数の脈管を密封する場合)、かつ密封線に沿った組織の不正確な分離の原因となり得る（組織密封部の中心に沿った切断用器具の誤整列または誤配置に起因する）。
【０００４】
上記欠点を克服するために、従来の密封用器具は時々、切断用電極構成を備えるエンドエフェクタアセンブリを利用する。具体的には、このエンドエフェクタは、顎部材を備え得、これらの顎部材は、それぞれの導電性脈管／組織密封表面、およびこれらの顎部材のうちの一方または両方の絶縁体内に配置された導電性の切断要素を備える。この切断要素は、電気外科的作動によって、脈管／組織を切断することが可能である。代表的に、導電性の密封表面の電位と切断要素の電位とは別々に、制御器（ハンドル、トリガ、ハンドスイッチ、およびフットスイッチが挙げられる）の相互に関連付けられた組み合わせによって、外科医により作動可能である。使用中に、外科医は、組織を効果的に密封および切断するために、これらの制御器を特定の順序で作動させなければならない。しばしば、手および／または指での数回の操作が、所望の密封および切断手順を完了するために必要とされる。
【発明の概要】
【課題を解決するための手段】
【０００５】
本発明は、例えば、以下を提供する：
（項目１）
シャフトを支持するハウジングであって、該シャフトは長手方向軸を規定する、ハウジング;
１対の対向する第一の顎部材および第二の顎部材であって、各顎部材は、間隔を開けた１対の導電性の組織密封表面を備え、該組織密封表面は、電気外科エネルギーの供給源に接続されるように適合されており、その結果、該組織密封表面は、該該組織密封表面間に保持された組織に通して電気外科エネルギーを伝導して密封を行うことが可能であり、該第一の顎部材および該第二の顎部材のうちの少なくとも一方は、該顎部材上に配置された導電性の切断要素を備える、第一の顎部材および第二の顎部材;ならびに
該ハウジング上に作動可能に配置されたスイッチアセンブリであって、該スイッチアセンブリは、電気外科エネルギーを該第一の顎部材および該第二の顎部材に提供するための電気外科エネルギーの供給源に作動可能に通信している起動部材を備え、該起動部材は、非アクティブ構成から、第一のアクティブ構成および第二のアクティブ構成に移動可能であり、該第一のアクティブ構成は、組織を密封するために電気外科エネルギーを該組織密封表面に提供するための構成であり、そして該第二のアクティブ構成は、密封された該組織を切断するために電気外科エネルギーを該切断要素に提供するための構成である、スイッチアセンブリ
を備える、電気外科鉗子。
（項目２）
起動部材が、上記ハウジングの近位端に作動可能に配置されており、そして該起動部材を上記第一のアクティブ構成および上記第二のアクティブ構成のうちの一方に置くために、上記長手方向軸に沿って移動可能である、上記項目に記載の電気外科鉗子。
（項目３）
起動部材が、上記ハウジングの中心近くに作動可能に配置されており、そして該起動部材を上記第一のアクティブ構成および上記第二のアクティブ構成のうちの一方に置くために、上記長手方向軸を横切るように移動可能である、上記項目のいずれかに記載の電気外科鉗子。
（項目４）
上記起動部材が、上記ハウジングの左側からでも右側からでもアクセス可能である、上記項目のいずれかに記載の電気外科鉗子。
（項目５）
上記起動部材が、ロッカースイッチおよびスイッチ棒のうちの１つである、上記項目のいずれかに記載の電気外科鉗子。
（項目６）
上記ロッカースイッチが、上部分および下部分を備え、該上部分および該下部分は、押下されると、該ロッカースイッチをそれぞれの第一のアクティブ構成および第二のアクティブ構成に置くように構成されている、上記項目のいずれかに記載の電気外科鉗子。
（項目７）
上記スイッチ棒が、上押下可能部分および下押下可能部分を備え、該上押下可能部分および該下押下可能部分は、該スイッチ棒を上記第一のアクティブ構成および上記第二のアクティブ構成にそれぞれ置くように構成されており、該上押下可能部分および上押下可能部分および下押下可能部分下押下可能部分は、押下されると点灯するように構成されている、上記項目のいずれかに記載の電気外科鉗子。
（項目８）
上記スイッチ棒は、左押下可能部分および右押下可能部分を備え、該左押下可能部分および該右押下可能部分は、上記第一の顎部材および上記第二の顎部材に提供される上記電気外科エネルギーの電力強度レベルを調節するように構成されており、そして水平に配置された複数の点灯可能部材が、該左押下可能部分と該右押下可能部分との間に配置されており、該第一の顎部材および該第二の顎部材に提供される該電気外科エネルギーの該電力強度レベルを使用者に示す、上記項目のいずれかに記載の電気外科鉗子。
（項目９）
ハウジング;
１対の対向する第一の顎部材および第二の顎部材であって、該第一の顎部材および該第二の顎部材のうちの少なくとも一方は、他方に対して第一の位置から第二の位置へと移動可能であり、該第一の位置において、該第一の顎部材および該第二の顎部材は、互いに対して間隔を空けた関係で配置されており、該第二の位置において、該第一の顎部材および該第二の顎部材は、該第一の顎部材と該第二の顎部材との間に組織を把持するように協働し、各顎部材は、間隔を開けた１対の導電性の組織密封表面を備え、該織密封表面は、電気外科エネルギーの供給源に接続されるように適合されており、その結果、該組織密封表面は、該織密封表面間に保持された組織に通して電気外科エネルギーを伝導して密封を行うことが可能であり、該第一の顎部材および該第二の顎部材のうちの少なくとも一方は、該顎部材に配置された導電性の切断要素を備える、第一の顎部材および第二の顎部材;
該ハウジングに作動可能に配置された第一のスイッチアセンブリであって、該第一のスイッチアセンブリは、組織を密封するために該組織密封表面に電気外科エネルギーを提供するための該電気外科エネルギーの供給源と作動可能に通信している起動部材を備える、第一のスイッチアセンブリ;
ラッチが掛かった構成およびラッチが外れた構成を有するレバーであって、該レバーは、該電気外科エネルギーの供給源と作動可能に通信している第二のスイッチアセンブリと作動可能に通信しており、その結果、該ラッチが外れた構成において、電気外科エネルギーが該切断要素に提供される、レバー;ならびに
可動ハンドルを備えるハンドルアセンブリであって、該可動ハンドルは、該少なくとも１つの可動顎部材を該第一の位置から該第二の位置へと移動させるように構成されており、該可動ハンドルは、該レバーと作動可能に連絡しており、そして該レバーを該ラッチが掛かった構成から該ラッチが外れた構成へと移動させるように構成されている、ハンドルアセンブリ
を備える、電気外科鉗子。
（項目１０）
ハウジング;
１対の対向する第一の顎部材および第二の顎部材であって、各顎部材は、間隔を開けた１対の導電性の組織密封表面を備え、該組織密封表面は、電気外科エネルギーの供給源に接続されるように適合されており、その結果、該組織密封表面は、該組織密封表面間に保持された組織に通して電気外科エネルギーを伝導して密封を行うことが可能であり、該第一の顎部材および該第二の顎部材のうちの少なくとも一方は、該顎部材に配置された導電性の切断要素を備える、第一の顎部材および第二の顎部材;ならびに
起動部材および選択機を備えるスイッチアセンブリであって、該起動部材は、電気外科エネルギーを該第一の顎部材および該第二の顎部材に提供するための該電気外科エネルギーの供給源と作動可能に通信しており、そして該選択機は、使用者が該電気外科鉗子を少なくとも２つの作動モードに選択的に置くことを可能にするように構成されており、該少なくとも２つの作動モードは、密封モードおよび切断モードであり、該密封モードにおいて、該起動部材の起動は、組織を密封するために電気外科エネルギーを該組織密封表面に供給し、そして該切断モードにおいて、該起動部材の起動は、密封された該組織を切断するために、電気外科エネルギーを該切断要素に提供する、スイッチアセンブリ
を備える、電気外科鉗子。
（項目１１）
上記選択機は、上記ハウジングの左側および右側のいずれか一方に配置された回転ダイヤルである、上記項目のいずれかに記載の電気外科鉗子。
（項目１２）
上記起動部材は押下可能ボタンである、上記項目のいずれかに記載の電気外科鉗子。
（項目１３）
上記起動部材および上記選択機を備える上記スイッチアセンブリは、上記ハウジングに作動可能に支持されている、上記項目のいずれかに記載の電気外科鉗子。
（項目１４）
上記選択機を備える上記スイッチアセンブリは、上記ハウジングに作動可能に支持されており、そして上記起動部材はフットスイッチである、上記項目のいずれかに記載の電気外科鉗子。
（項目１５）
上記選択機は、使用者が上記電気外科鉗子を少なくとも３つの作動モードに選択的に置くことを可能にするように構成されており、該少なくとも３つの作動モードは、密封モード、切断モード、および自動モードであり、該自動作動モードにおいて、切断プロセスおよび密封プロセスは、上記電気外科エネルギーの供給源によって自動的に制御される、上記項目のいずれかに記載の電気外科鉗子。
（項目１６）
ハウジング;
１対の対向する第一の顎部材および第二の顎部材であって、各顎部材は、間隔を開けた１対の導電性の組織密封表面を備え、該組織密封表面は、電気外科エネルギーの供給源に接続されるように適合されており、その結果、該組織密封表面は、該組織密封表面間に保持された組織に通して電気外科エネルギーを伝導して密封を行うことが可能であり、該第一の顎部材および該第二の顎部材のうちの少なくとも一方は、該顎部材上に配置された導電性の切断要素を備える、第一の顎部材および第二の顎部材;
該ハウジング上に作動可能に配置されたスイッチアセンブリであって、該スイッチアセンブリは、組織を密封するために、電気外科エネルギーを該組織密封表面に提供するための該電気外科エネルギーの供給源と作動可能に通信している押下可能起動部材を備える、スイッチアセンブリ;ならびに
密封された該組織を切断するために、電気外科エネルギーを該切断要素に提供するための電気外科エネルギーの供給源と作動可能に通信しているフットスイッチ
を備える、電気外科鉗子。
（項目１７）
上記フットスイッチは、作動スイッチが押下されているときにのみ機能する、上記項目のいずれかに記載の電気外科鉗子。
（項目１８）
ハウジング;
１対の対向する第一の顎部材および第二の顎部材であって、各顎部材は、間隔を開けた１対の導電性の組織密封表面を備え、該組織密封表面は、電気外科エネルギーの供給源に接続されるように適合されており、その結果、該組織密封表面は、該組織密封表面間に保持された組織に通して電気外科エネルギーを伝導して密封を行うことが可能であり、該第一の顎部材および該第二の顎部材のうちの少なくとも一方は、該顎部材上に配置された導電性の切断要素を備える、第一の顎部材および第二の顎部材;ならびに
該ハウジングに作動可能に配置されたタッチスクリーンであって、該タッチスクリーンは、該ハウジングおよび該電気外科エネルギーの供給源のうちの一方に配置された少なくとも１つのコンピュータと作動可能に通信しており、該タッチスクリーンは、少なくとも２つのタッチスクリーンボタン、１つの密封ボタンおよび１つの切断ボタンを提供する、タッチスクリーン
を備え、
該密封ボタンの起動は、電気外科エネルギーを該組織密封表面に提供して組織を密封し、そして該切断ボタンの起動は、電気外科エネルギーを該切断要素に提供して、密封された該組織を切断する、電気外科鉗子。
（項目１９）
上記タッチスクリーンは、フィードバックを外科医に提供するように構成されており、そして上記組織密封表面の切断要素に提供される上記電気外科エネルギーの電力強度レベルを外科医が調節することを可能にするように構成されている、上記項目のいずれかに記載の電気外科鉗子。
（項目２０）
ハウジング;
１対の対向する第一の顎部材および第二の顎部材であって、各顎部材は、間隔を開けた１対の導電性の組織密封表面を備え、該組織密封表面は、電気外科エネルギーの供給源に接続されるように適合されており、その結果、該組織密封表面は、該組織密封表面間に保持された組織に通して電気外科エネルギーを伝導して密封を行うことが可能であり、該第一の顎部材および該第二の顎部材のうちの少なくとも一方は、該顎部材上に配置された導電性の切断要素を備える、第一の顎部材および第二の顎部材;
該ハウジング上に作動可能に配置されたスイッチアセンブリであって、該スイッチアセンブリは、組織を密封するために、電気外科エネルギーを該組織密封表面に提供するための該電気外科エネルギーの供給源と作動可能に通信している起動部材を備える、スイッチアセンブリ;ならびに
該ハウジング上に作動可能に配置されたプログレッシブタッチパッドであって、該プログレッシブタッチパッドは、該ハウジングおよび該電気外科エネルギーの供給源のうちの一方に配置された少なくとも１つのコンピュータと作動可能に通信しており、該タッチパッドは、作動させられると、密封された該組織を切断するために、電気外科エネルギーを該切断要素に提供するように構成されている、プログレッシブタッチパッド
を備える、電気外科鉗子。
（項目２１）
回転可能なシャフトを支持するハウジング;
１対の対向する第一の顎部材および第二の顎部材であって、各顎部材は、間隔を開けた１対の導電性の組織密封表面を備え、該組織密封表面は、電気外科エネルギーの供給源に接続されるように適合されており、その結果、該組織密封表面は、該組織密封表面間に保持された組織に通して電気外科エネルギーを伝導して密封を行うことが可能であり、該第一の顎部材および該第二の顎部材のうちの少なくとも一方は、該顎部材上に配置された導電性の切断要素を備える、第一の顎部材および第二の顎部材;ならびに
該ハウジング上に作動可能に配置されたスイッチアセンブリであって、該スイッチアセンブリは、電気外科エネルギーを該第一の顎部材および第二の顎部材に供給するための該電気外科エネルギーの供給源と作動可能に通信している、磁気で起動する起動部材を備え、該磁気で起動する起動部材は、第一の磁石および第二の磁石を備え、該第一の磁石は、対応する第一のスイッチと接触すると該第一のスイッチを閉じるように構成されており、そして該第二の磁石は、対応する第二のスイッチと接触すると該第二のスイッチを閉じるように構成されており、その結果、該第一のスイッチの起動は、組織を密封するために電気外科エネルギーを該組織密封表面に提供し、そして該第二のスイッチのアクティブへの起動は、密封された該組織を切断するために電気外科エネルギーを該切断要素に提供する、スイッチアセンブリ
を備える、電気外科鉗子。
（項目２２）
上記第一の磁石および上記第二の磁石が、上記ハウジング内で上記シャフトの近位端に隣接して支持されており、そして該ハウジング上のスライドの移動は、上記第一の磁石および上記第二の磁石を、上記対応するスイッチと接触させる、上記項目のいずれかに記載の電気外科鉗子。
（項目２３）
ハウジング;
１対の対向する第一の顎部材および第二の顎部材であって、該第一の顎部材および該第二の顎部材のうちの少なくとも一方は、他方に対して、第一の位置から第二の位置へと移動可能であり、該第一の位置において、該第一の顎部材および該第二の顎部材は、互いに対して間隔を空けた関係で配置され、そして該第二の位置において、該第一の顎部材および該第二の顎部材は、該第一の顎部材と該第二の顎部材との間に組織を把持するように協働し、各顎部材は、間隔を開けた１対の導電性の組織密封表面を備え、該組織密封表面は、電気外科エネルギーの供給源に接続されるように構成されており、その結果、該組織密封表面は、該組織密封表面間に保持された組織に通して電気外科エネルギーを伝導して密封を行うことが可能であり、該第一の顎部材および該第二の顎部材のうちの少なくとも一方は、該顎部材上に配置された導電性の切断要素を備える、第一の顎部材および第二の顎部材;ならびに
該電気外科エネルギーの供給源と作動可能に通信している少なくとも１つのセンサであって、該少なくとも１つのセンサは、該少なくとも１つの可動顎部材が該第二の位置にあって組織が第一の顎部材と第二の顎部材との間に把持されているときを検出するように構成されており、その結果、該第一の顎部材および第二の顎部材が該第二の位置にある場合、該電気外科エネルギーの供給源は、自動的に、組織を密封するために電気外科エネルギーを該組織密封表面に提供し、そしてその後、密封された該組織を切断するために電気外科エネルギーを該切断要素に提供する、センサ
を備える、電気外科鉗子。
（項目２４）
上記少なくとも１つのセンサが、上記電気外科鉗子の可動ハンドルと作動可能に通信しており、そして該可動ハンドルがラッチが外れた構成に移動したときを検出するように構成されている、上記項目のいずれかに記載の電気外科鉗子。
（項目２５）
上記少なくとも１つのセンサが、上記第一の顎部材および上記第二の顎部材と作動可能に通信しており、そして該第一の顎部材および該第二の顎部材が上記第二の位置にあるときを検出するように構成されている、上記項目のいずれかに記載の電気外科鉗子。
【０００６】
（摘要）
電気外科鉗子が提供され、この電気外科鉗子は、ハウジング、シャフト、ならびに１対の対向する第一の顎部材および第二の顎部材を備える。各顎部材は、間隔を開けた１対の導電性の組織密封表面を備え、これらの組織密封表面は、電気外科エネルギーの供給源に接続されるように適合されており、その結果、これらの組織密封表面は、これらの組織密封表面の間に保持された組織に通して電気外科エネルギーを伝導して密封を行うことが可能である。第一の顎部材および第二の顎部材のうちの一方または両方は、その顎部材上に配置された導電性の切断要素を備える。スイッチアセンブリがこのハウジング上に作動可能に配置されており、このスイッチアセンブリは、電気外科エネルギーを第一の顎部材および第二の顎部材に供給するための電気外科エネルギーの供給源と作動可能に通信している起動部材を備える。この起動部材の起動は、組織を密封するために電気外科エネルギーを組織密封表面に提供し、そして密封された組織を切断するために、電気外科エネルギーを切断要素に提供する。
【０００７】
（要旨）
本開示の実施形態が、図面を参照しながら詳細に記載される。図面において、同じ参照番号は、類似の要素または同一の要素を見分ける役に立つ。本明細書中で使用される場合、用語「遠位」とは、使用者から遠い方の、記載される部分をいい、そして用語「近位」とは、装置の使用者に近い方の、記載される部分をいう。
【０００８】
本開示の１つの局面は、電気外科鉗子を提供する。この電気外科鉗子は、ハウジングを備え、このハウジング上にシャフトが支持されている。このシャフトは、このシャフトを通る長手方向軸を規定する。対向する１対の第一の顎部材および第二の顎部材の各々が、間隔を開けた１対の導電性の組織密封表面を備え、これらの組織密封表面は、電気外科エネルギーの供給源に接続されるように適合される。これらの組織密封表面は、これらの組織密封表面の間に保持された組織に通して電気外科エネルギーを伝導して、密封を行うことが可能である。第一の顎部材および第二の顎部材のうちの少なくとも一方は、その顎部材上に配置された導電性の切断要素を備える。このハウジング上に作動可能に配置されたスイッチアセンブリは、電気外科エネルギーを第一の顎部材および第二の顎部材に供給するための電気外科エネルギーの供給源と作動的に通信している起動部材を備える。この起動部材は、非アクティブ構成から、第一のアクティブ構成および第二のアクティブ構成へと移動可能であり、この第一のアクティブ構成は、組織を密封するために電気外科エネルギーを組織密封表面に提供するための構成であり、そしてこの第二のアクティブ構成は、この密封された組織を切断するために電気外科エネルギーを切断要素に提供するための構成である。
【０００９】
この起動部材は、このハウジングの近位端に作動可能に配置され得、そして起動部材を第一のアクティブ構成および第二のアクティブ構成のうちの一方に置くために、長手方向軸に沿って移動可能であり得る。あるいは、この起動部材は、このハウジングの中心近くに作動可能に配置され得、そしてこの起動部材を第一のアクティブ構成および第二のアクティブ構成のうちの一方に置くために、長手方向軸を横切るように移動可能であり得る。この起動部材は、このハウジングの左側からでも右側からでもアクセス可能であり得る。特定の例において、この起動部材は、ロッカースイッチおよびスイッチ棒のうちの一方であり得る。この例において、このロッカースイッチは、上部分および下部分を備え得、この上部分およびこの下部分は、押下されると、このロッカースイッチをそれぞれの第一のアクティブ構成および第二のアクティブ構成に置くように構成される。
【００１０】
このスイッチ棒は、上押下可能部分および下押下可能部分を備え得、この上押下可能部分およびこの下押下可能部分は、このスイッチ棒を第一のアクティブ構成および第二のアクティブ構成にそれぞれ置くように構成される。この上押下可能部分およびこの下押下可能部分は、押下されると点灯するように構成され得る。このスイッチ棒は、左押下可能部分および右押下可能部分を備え得、この左押下可能部分およびこの右押下可能部分は、第一の顎部材および第二の顎部材に提供される電気外科エネルギーの電力強度レベルを調節するように構成される。この例において、水平に配置された複数の点灯可能部材は、左押下可能部分と右押下可能部分との間に配置されて、使用者に、第一の顎部材および第二の顎部材に提供される電気外科エネルギーの電力強度レベルを示し得る。
【００１１】
本開示の１つの局面は、電気外科鉗子を提供する。この電気外科鉗子は、ハウジング、ならびに１対の対向する第一の顎部材および第二の顎部材を備える。この第一の顎部材およびこの第二の顎部材のうちの少なくとも一方は、他方に対して、第一の位置から第二の位置へと移動可能であり、この第一の位置において、第一の顎部材および第二の顎部材は、互いに対して間隔を空けた関係で配置され、そしてこの第二の位置において、第一の顎部材と第二の顎部材とは、間に組織を把持するように協働する。各顎部材は、間隔を開けた１対の導電性の組織密封表面を備え、これらの組織密封表面は、電気外科エネルギーの供給源に接続されるように適合され、その結果、これらの組織密封表面は、これらの組織密封表面の間に保持された組織に通して電気外科エネルギーを伝導して、密封を行うことが可能である。第一の顎部材および第二の顎部材のうちの少なくとも一方は、その顎部材上に配置された導電性の切断要素を備える。このハウジング上に作動可能に配置された第一のスイッチアセンブリは、組織を密封するために、電気外科エネルギーを組織密封表面に提供するための電気外科エネルギーの供給源と作動可能に通信している起動部材を備える。ラッチが掛かった構成およびラッチが外れた構成を有し、第二のスイッチアセンブリと作動可能に通信しているレバーが、電気外科エネルギーの供給源と作動可能に通信しており、その結果、このラッチが外れた構成において、電気外科エネルギーが切断要素に提供される。ハンドルアセンブリは、可動ハンドルを備え、この可動ハンドルは、少なくとも１つの可動顎部材を第一の位置から第二の位置へと移動させるように構成される。この可動ハンドルは、このレバーと作動可能に連絡しており、そしてこのレバーを、ラッチが掛かった構成からラッチが外れた構成へと移動させるように構成される。
【００１２】
本開示の１つの局面は、電気外科鉗子を提供する。この電気外科鉗子は、ハウジング、ならびに１対の対向する第一の顎部材および第二の顎部材を備える。各顎部材は、間隔を開けた１対の導電性の組織密封表面を備え、この組織密封表面は、電気外科エネルギーの供給源に接続されるように適合され、その結果、これらの組織密封表面は、これらの組織密封表面の間に保持された組織に通して電気外科エネルギーを伝導して、密封を行うことが可能である。第一の顎部材および第二の顎部材のうちの少なくとも一方は、その顎部材上に配置された導電性の切断要素を備える。スイッチアセンブリは、起動部材および選択機を備える。この起動部材は、電気外科エネルギーを第一の顎部材および第二の顎部材に提供するための電気外科エネルギーの供給源と作動可能に通信している。この選択機は、使用者が電気外科鉗子を少なくとも２つの作動モード（密封モードおよび切断モード）に選択的に置くことを可能にするように構成され、この密封モードにおいて、起動部材の起動は、組織を密封するために電気外科エネルギーを組織密封表面に供給し、そしてこの切断モードにおいて、起動部材の起動は、密封された組織を切断するために、電気外科エネルギーを切断要素に供給する。
【００１３】
この選択機は、ハウジングの左側または右側の一方に配置された、回転ダイヤルであり得る。または、この起動部材は、押下可能ボタンであり得る。起動部材および選択機を備えるスイッチアセンブリは、ハウジング上に作動可能に支持され得る。選択機を備えるスイッチアセンブリは、ハウジング上に作動可能に支持され得、そして起動部材は、フットスイッチであり得る。この選択機は、使用者が電気外科鉗子を少なくとも３つの作動モード（密封モード、切断モード、および自動モード）に選択的に置くことを可能にするように構成され得、この自動作動モードにおいて、切断プロセスおよび密封プロセスは、電気外科エネルギーの供給源によって自動的に制御される。
【００１４】
本開示の１つの局面は、電気外科鉗子を提供する。この電気外科鉗子は、ハウジング、ならびに１対の対向する第一の顎部材および第二の顎部材を備える。各顎部材は、間隔を開けた１対の導電性の組織密封表面を備え、これらの組織密封表面は、電気外科エネルギーの供給源に接続されるように適合され、その結果、これらの組織密封表面は、これらの組織密封表面の間に保持された組織に通して電気外科エネルギーを伝導して、密封を行うことが可能である。第一の顎部材および第二の顎部材のうちの少なくとも一方は、その顎部材上に配置された導電性の切断要素を備える。このハウジング上に作動可能に配置されたスイッチアセンブリは、組織を密封するために、電気外科エネルギーを組織密封表面に提供するための電気外科エネルギーの供給源と作動可能に通信している押下可能起動部材を備える。フットスイッチは、密封された組織を切断するために、電気外科エネルギーを切断要素に提供するための電気外科エネルギーの供給源と作動可能に通信している。このフットスイッチは、この作動スイッチが押下されているときにのみ作動し得る。
【００１５】
本開示の１つの局面は、電気外科鉗子を提供する。この電気外科鉗子は、ハウジング、ならびに１対の対向する第一の顎部材および第二の顎部材を備える。各顎部材は、間隔を開けた１対の導電性の組織密封表面を備え、これらの組織密封表面は、電気外科エネルギーの供給源に接続されるように適合され、その結果、これらの組織密封表面は、これらの組織密封表面の間に保持された組織に通して電気外科エネルギーを伝導して、密封を行うことが可能である。第一の顎部材および第二の顎部材のうちの少なくとも一方は、その顎部材上に配置された導電性の切断要素を備える。このハウジング上に作動可能に配置されたタッチスクリーンが、このハウジングおよび電気外科エネルギーの供給源のうちの一方に配置された少なくとも１つのコンピュータと作動可能に通信している。このタッチスクリーンは、少なくとも２つのタッチスクリーンボタン、１つの密封ボタン、および切断ボタンを提供する。この密封ボタンの起動は、電気外科エネルギーを組織密封表面に提供して組織を密封し、そしてこの切断ボタンの起動は、電気外科エネルギーを切断要素に提供して、密封された組織を切断する。このタッチスクリーンは、外科医にフィードバックを提供するように構成され得、そして組織密封表面の切断要素に提供される電気外科エネルギーの電力強度レベルを外科医が調節することを可能にするように構成され得る。
【００１６】
本開示の１つの局面は、電気外科鉗子を提供する。この電気外科鉗子は、ハウジング、ならびに１対の対向する第一の顎部材および第二の顎部材を備え、各顎部材は、間隔を開けた１対の導電性の組織密封表面を備え、これらの組織密封表面は、電気外科エネルギーの供給源に接続されるように構成されており、その結果、これらの組織密封表面は、これらの組織密封表面の間に保持された組織に通して電気外科エネルギーを伝導して、密封を行うことが可能である。第一の顎部材および第二の顎部材のうちの少なくとも一方は、その顎部材上に配置された導電性の切断要素を備える。このハウジング上に作動可能に配置されたスイッチアセンブリは、組織を密封するために、電気外科エネルギーを組織密封表面に提供するための電気外科エネルギーの供給源と作動可能に通信している起動部材を備える。このハウジング上に作動可能に配置されたプログレッシブタッチパッドが、このハウジングおよび電気外科エネルギーの供給源のうちの一方に配置された少なくとも１つのコンピュータと作動可能に通信している。このタッチパッドは、その起動の際に、密封された組織を切断するために、電気外科エネルギーを切断要素に提供するように構成される。
【００１７】
本開示の１つの局面は、電気外科鉗子を提供する。この電気外科鉗子は、回転可能なシャフトを支持するハウジングを備える。対向する１対の第一の顎部材および第二の顎部材の各々が、間隔を開けた１対の導電性の組織密封表面を備え、これらの組織密封表面は、電気外科エネルギーの供給源に接続されるように適合される。これらの組織密封表面は、これらの組織密封表面の間に保持された組織に通して電気外科エネルギーを伝導して密封を行うことが可能であり、第一の顎部材および第二の顎部材の少なくとも一方は、その顎部材上に配置された導電性の切断要素を備える。スイッチアセンブリがこのハウジング上に作動可能に配置されており、そして磁気で起動する起動部材を備え、この起動部材は、電気外科エネルギーを第一の顎部材および第二の顎部材に供給するための電気外科エネルギーの供給源と作動可能に通信している。この磁気で起動する起動部材は、第一の磁石および第二の磁石を備え、この第一の磁石は、対応する第一のスイッチと接触するとこの第一のスイッチを閉じるように構成されており、そしてこの第二の磁石は、対応する第二のスイッチと接触するとこの第二のスイッチを閉じるように構成されている。第一のスイッチの起動は、組織を密封するために電気外科エネルギーを組織密封表面に提供し、そして第二のスイッチの起動は、密封された組織を切断するために電気外科エネルギーを切断要素に提供する。
【００１８】
第一の磁石および第二の磁石は、このハウジング内でこのシャフトの近位端に隣接して支持されており、そしてこのハウジング上でのスライドの移動は、第一の磁石および第二の磁石を対応するスイッチと接触させる。
【００１９】
本開示の１つの局面は、電気外科鉗子を提供する。この電気外科鉗子は、ハウジング、ならびに１対の対向する第一の顎部材および第二の顎部材を備える。この第一の顎部材およびこの第二の顎部材のうちの少なくとも一方は、他方に対して第一の位置から第二の位置へと移動可能であり、この第一の位置において、第一の顎部材および第二の顎部材は、互いに対して間隔を空けた関係で配置され、そしてこの第二の位置において、第一の顎部材および第二の顎部材は、間に組織を把持するように協働する。各顎部材は、間隔を開けた１対の導電性の組織密封表面を備え、これらの組織密封表面は、電気外科エネルギーの供給源に接続されるように適合され、その結果、これらの組織密封表面は、これらの組織密封表面の間に保持された組織に通して電気外科エネルギーを伝導して、密封を行うことが可能である。第一の顎部材および第二の顎部材のうちの少なくとも一方は、その顎部材上に配置された導電性の切断要素を備える。少なくとも１つのセンサが、電気外科エネルギーの供給源と作動可能に通信しており、そして少なくとも１つの可動顎部材が第二の位置にあって組織が第一の顎部材と第二の顎部材との間に把持されているときを検出するように構成されている。第一の顎部材および第二の顎部材が第二の位置にあるとき、この電気外科エネルギーの供給源は、組織を密封するために、電気外科エネルギーを組織密封表面に自動的に提供し、そしてその後、密封された組織を切断するために、電気外科エネルギーを切断要素に提供する。
【００２０】
少なくとも１つのセンサは、電気外科鉗子の可動ハンドルと作動可能に通信し得、そして可動ハンドルがラッチが外れた構成に移動したときを検出するように構成され得る。少なくとも１つのセンサは、第一の顎部材および第二の顎部材と作動可能に通信し得、そして第一の顎部材および第二の顎部材が第二の位置にあるときを検出するように構成され得る。
【００２１】
本開示の種々の実施形態が、図面を参照しながら本明細書中以下に記載される。
【図面の簡単な説明】
【００２２】
【図１Ａ】図1Aは、本開示の１つの実施形態による切り替え装置を有する内視鏡双極鉗子の右斜視図である。
【図１Ｂ】図1Bは、図1Aに図示された内視鏡双極鉗子と一緒に使用するために構成された電極アセンブリを示す拡大概略端面図である。
【図２Ａ】図2Aは、図1の細部の領域の拡大概略図である。
【図２Ｂ】図2B〜図2Cは、異なる構成にある、図1に図示される切り替え装置の拡大立面図である。
【図２Ｃ】図2B〜図2Cは、異なる構成にある、図1に図示される切り替え装置の拡大立面図である。
【図３Ａ】図3Aは、本開示のなお別の実施形態による切り替え装置を有する内視鏡双極鉗子のハウジングの概略図である。
【図３Ｂ】図3Bは、図3Aに図示されるハウジングの底面図である。
【図４】図4は、本開示のさらになお別の実施形態による切り替え装置を有する内視鏡双極鉗子のハウジングの概略図である。
【図５】図5は、本開示のさらになお別の実施形態による切り替え装置の概略図である。
【図６】図6は、本開示の１つの実施形態による切り替え装置を有する内視鏡双極鉗子のハウジングの概略図である。
【図７】図7は、本開示のさらに別の実施形態による切り替え装置を有する内視鏡双極鉗子のハウジングの概略図である。
【図８】図8Aおよび図8Bは、本開示のさらになお別の実施形態による切り替え装置を有する内視鏡双極鉗子のハウジングの概略図である。図8Aは、ラッチが掛かった構成にある切り替え装置のレバーを図示する。図8Bは、ラッチが外れた構成にある切り替え装置のレバーを図示する。
【図９】図9は、本開示のさらになお別の実施形態による切り替え装置を有する内視鏡双極鉗子のハウジングの概略図である。
【図１０】図10は、本開示のさらになお別の実施形態による切り替え装置を有する内視鏡双極鉗子のハウジングの概略図である。
【図１１】図11は、本開示のさらになお別の実施形態による切り替え装置を有する内視鏡双極鉗子のハウジングの概略図である。
【図１２Ａ】図12Aは、本開示のさらになお別の実施形態による切り替え装置のハウジングの概略図である。
【図１２Ｂ】図12Bは、図12Aの線分12B-12Bに沿って見た断面図である。
【発明を実施するための形態】
【００２３】
（詳細な説明）
本開示の詳細な実施形態が、本明細書中に開示される。しかし、開示される実施形態は、単に本開示の例であり、これらは、種々の形態で実施され得る。従って、本明細書中に開示される、具体的な構造および機能的細部は、限定であると解釈されるべきではなく、単に、特許請求の範囲のための基礎として、そして本開示を事実上任意の適切に詳述される構造で様々に使用することを当業者に教示するための代表的な基礎として、解釈されるべきである。本明細書および図面において、同じ参照番号は、同じ機能、類似の機能、または等価な機能を実施し得る要素を表す。
【００２４】
ここで図1Aを参照すると、種々の内視鏡外科手術手順で使用するための双極鉗子2は一般に、ハウジング4、ハンドルアセンブリ6、起動スイッチアセンブリ8および電極アセンブリ10を備え、この電極アセンブリは、対向する顎部材12および14を有し、これらの顎部材は、管状脈管および脈管組織を把持し、密封し、そして分割するように、相互に協働する。鉗子2は、シャフト16を備え、このシャフトは、電極アセンブリ10を機械的に係合するような寸法にされた遠位端18、およびハウジング4を機械的に係合する近位端20を有する。シャフト16は、このシャフトを通る長手方向軸「A-A」を規定し、そして１つ以上の公知の機械的係合構成要素を備え得、これらの構成要素は、顎部材12および14のうちの一方または両方が互いに対して旋回可能であり、これらの顎部材の間に組織を係合して把持するように、電極アセンブリ10をしっかりと受容して係合するように設計される。図示される実施形態は、片側顎構成を有する電極アセンブリ10を図示するが、両側顎構成もまた利用され得る。
【００２５】
ハンドルアセンブリ6は、固定ハンドル22および可動ハンドル24(図1Aおよび図2A)を備える。固定ハンドル22は、ハウジング4と一体的に関連し、そして可動ハンドル24は、電極アセンブリ10の対向する顎部材12および14を起動するために、固定ハンドル22に対して移動可能である。ある実施形態において、可動ハンドル24は、可動ハンドル24を「ラッチ掛け」するように、所定の距離だけ近位方向に移動可能であり得る。この例において、１つ以上の構成要素(例えば、リレー、ソレノイド、ラッチ掛けデバイス、歯車、連接棒、これらの組み合わせなど)が、可動ハンドル24をラッチ掛けおよびラッチ外しするように、可動ハンドル24(または固定ハンドル22)に作動可能に結合され得る。
【００２６】
図1Aの参照を続け、図2A〜図2Cを参照すると、スイッチアセンブリ８が図示されている。スイッチアセンブリ８は、ハウジング4の近位端に作動可能に結合されており、そしてスイッチアセンブリ８が発電機36と通信することを可能にする回路を備える。この発電機は、鉗子2にケーブル37を介して結合する(図1A)。スイッチアセンブリ８は、１つ以上の位置の間で移動可能な起動部材38を備える。具体的には、起動部材38は、非アクティブ構成(図2A)から、１つ以上のアクティブ構成(図2B〜図2C)まで移動可能である。この非アクティブ構成において、電気外科エネルギーは顎部材12および14に供給されない。これらのアクティブ構成において、電気外科エネルギーは顎部材12および14に供給される。具体的には、第一のアクティブ構成(例えば、図2Bを参照のこと)において、電気外科エネルギーは、顎部材間に把持された組織を密封するために、顎部材12および14に供給される。第二のアクティブ構成(例えば、図2Cを参照のこと)において、電気外科エネルギーは、先に密封された組織を切断するために、顎部材12および14に供給される。触覚フィードバック機構(図示せず)が、スイッチアセンブリ８に提供されて、起動部材38が第一のアクティブ構成または第二のアクティブ構成のいずれかに配置されたときを使用者に示し得る。
【００２７】
ここで図1Bを参照すると、顎部材12および14を備える電極アセンブリ10が図示されている。絶縁体または絶縁材料26および28が、顎部材12および14上の各対の導電性密封表面30aと30bとの間、および32aと32bとの間に、それぞれ配置される。絶縁体26、28は、任意の適切な非伝導性材料から作製され得る。図示される実施形態において、絶縁体26、28は、セラミック材料の硬度および高い温度の変動に耐える固有の能力に起因して、セラミック材料から作製される。
【００２８】
顎部材12および14のうちの一方または両方は、実質的に絶縁体26、28内に配置されたか、または絶縁体26、28上に配置された、導電性の切断要素34を備える。図示される実施形態において、各顎部材12および14が、切断要素34を備える。特定の例において、切断要素34のうちの一方または両方は、絶縁性材料から作製されてその上に伝導性コーティングが配置され得るか、あるいは切断要素34のうちの一方は、非伝導性であり得る。
【００２９】
切断要素34は、外科医によって独立して起動され得る(または一旦密封が完了すると、発電機36によって自動的に起動され得る。この実施形態は、以下により詳細に記載される)。起動部材38が第二のアクティブ構成(図2C)に置かれているときに、電気外科エネルギーが切断要素34のうちの一方または両方に供給されて、密封された組織を切断する。
【００３０】
可聴インジケータまたは視覚インジケータ(図示せず)が、鉗子2が外科手術手順の密封段階または切断段階の準備ができていることを外科医に示すために使用され得る。例えば、１つの特定の実施形態において、発電機36は、密封段階に特有の可聴の音を外科医に提供するように構成され得る。同様に、発電機36は、切断段階に特有の可聴の音を外科医に提供するように構成され得る。あるいは、鉗子2は、起動部材38が第一のアクティブ構成または第二のアクティブ構成のいずれかに置かれているときに、上記可聴の音のうちの一方を外科医に提供するように構成され得る。
【００３１】
切断要素34ならびに／または密封表面30aと30b、および32aと32bを備える顎部材12および14の作動的特徴のより詳細な説明は、共有に係る米国特許第7,276,068号（Johnsonらにより2004年９月2日に出願された）に議論されている。
【００３２】
１つの特定の実施形態において、安全アルゴリズムが、切断の前に正確な完全な組織密封が形成されることを確実にするために、使用され得る。例えば、可聴インジケータまたは視覚インジケータが、正確な密封が形成されたことを外科医に確信させるために使用され得る。この例において、外科医は、この可聴インジケータまたは視覚インジケータが外科医に伝えられるまで、起動部材38を第一のアクティブ構成から第二のアクティブ構成に移動させることを防止され得る。この例において、１つ以上のロック特徴が、スイッチアセンブリ８および／または起動部材38に結合され得る。
【００３３】
使用において、組織を密封するために、起動部材38は第一のアクティブ構成(図2B)に置かれ、そして対向する密封表面30aと32a、および30bと32bとが起動されて、これらの密封表面間に配置された組織を密封して、絶縁体26および28の両側で２つの組織密封部を作製する。
【００３４】
組織を切断するために、起動部材38は第二のアクティブ構成(図2C)に置かれ、そして切断要素34は、第一の電位「+」でエネルギーを与えられ、そして右側の対向する密封表面30bおよび32bは、第二の電位「−」でエネルギーを与えられる(図1B)。これは、電位「+」と「−」との間の集中したエネルギー路を組織に通して作製して、先に形成された組織密封部の間で組織を切断する。一旦、組織が切断されると、顎部材12と14とが開かれて、切断されて２つになった組織を解放する。
【００３５】
理解され得るように、上記スイッチアセンブリ8は、手および／または指での数回の操作（従来の電気外科器具において代表的に必要とされるような）を必要とせずに、外科医が密封および切断のシーケンスを開始することを可能にする。
【００３６】
スイッチアセンブリ8は、他の種々の型の起動部材を備え得る。例えば、図3Aおよび図3Bは、ハウジング4の中心部4a近くに作動可能に配置された起動部材38aを図示する。この例において、起動部材38aは、起動部材38aを第一のアクティブ構成または第二のアクティブ構成（例えば、図3Bを参照のこと。この図において、起動部材38aは想像線で示されている）のいずれかに置くために、長手方向軸「A-A」を横切るように移動可能である。起動部材38aは、ハウジング4の左側または右側のいずれからでもアクセス可能である(図3Aを参照のこと)。このことは、外科医が起動部材38aを、左側および／または右側のいずれからでも、５本の指のうちの１つで押下することを可能にする。１つの特定の実施形態において、起動部材38aは、可動ハンドル24がラッチが掛かった構成にあるときに、長手方向軸「A-A」を横切るように移動可能である。このことは、顎12と14とが開いた構成にあるときには密封された組織を切断することを防止するための、安全機構として働く。すなわち、ラッチが掛かった構成において、顎部材12および14は、閉じた構成に維持される。
【００３７】
使用において、１つの特定の実施形態において、起動部材38aは、長手方向軸「A-A」の左側へのこの起動部材の移動が起動部材38aを第一のアクティブ構成に置き、そして長手方向軸の右側へのこの起動部材の移動が起動部材を第二のアクティブ構成に置くように、またはその逆であるように、構成される。
【００３８】
図4は、ロッカースイッチ38bの形態である起動部材を図示する。このロッカースイッチは、長手方向軸「A-A」に対して垂直に配置される。この例において、ロッカースイッチ38bの上部分39aの押下は、ロッカースイッチ38bを第一のアクティブ構成に置き、そしてロッカースイッチ38bの下部分39bの押下は、ロッカースイッチ38bを第二のアクティブ構成に置く。またはその逆である。あるいは、ロッカースイッチ38bは、長手方向軸「A-A」に対して水平に配置され得る。この例において、上部分39aおよび下部分39bは、左右の横部分で置き換えられる(図示せず)。ロッカースイッチ38の正確な構成は、製造業者の好み、外科手術手順などに依存する。
【００３９】
図5は、スイッチ棒38cの形態である起動部材を図示し、このスイッチ棒は、上押下可能部分39cおよび下押下可能部分39dを備え、これらの押下可能部分は、スイッチ棒38cをそれぞれ第一のアクティブ構成および第二のアクティブ構成に置くように構成される。図5に図示される実施形態において、上押下可能部分39cおよび下押下可能部分39dは、押下されると点灯するように構成される。この目的で、１以上の型のデバイス（例えば、LED、背面照明など）が、スイッチ棒38cに作動可能に結合されて、上押下可能部分39cおよび下押下可能部分39dが押下されるときに、これらを点灯させ得る。
【００４０】
図5に図示される実施形態において、スイッチ棒38cは、左押下可能部分39eおよび右押下可能部分39fを備え、これらの押下可能部分は、顎部材12および14に提供される電気外科エネルギーの電力強度レベルを調節するように構成される。この特定の例において、水平に配置された複数の点灯可能部材41が、左押下可能部分39eと右押下可能部分39fとの間に配置されて、第一の顎部材12および第二の顎部材14に提供されている電気外科エネルギーの電力強度レベルを外科医に示し得る。
【００４１】
図6を参照すると、本開示の代替の実施形態による鉗子102が図示されている。鉗子102に特有の特徴のみが、詳細に記載される。スイッチアセンブリ8を利用する鉗子2とは異なり、発電機136は、組織が顎部材112と114との間にクランプされて密封および／または切断の準備ができているときを、自動的に検出するように構成される。この例において、１つ以上のセンサ101aが、顎部材112および114ならびに／または可動ハンドル124と作動可能に通信し得る(図6)。例えば、１つの特定の実施形態において、センサ101aは、可動ハンドル124が「ラッチが掛かった」構成に移動したときを検出するように構成され得る。この例において、センサ101aは、発電機136の１つ以上の構成要素と作動可能に通信し得、そして組織が密封の準備ができたことを示す命令信号をこの構成要素に送るように構成され得る。発電機136によるこの命令信号の検出は自動的に、密封段階を開始させる。次いで、電気外科エネルギーが、それぞれの顎部材112および114の組織密封表面130aと132a、および130bと132bの対に伝送されて、特定の所定のデューティサイクルに従って、組織を密封する。
【００４２】
その後、発電機136は、電気外科エネルギーを切断要素134に提供して、密封された組織を切断し得る。この切断段階は、密封された組織の密封の質を検出するように構成された第二のセンサ101bによって提供される命令信号の結果として、開始され得る。この特定の例において、第二のセンサ101bは、顎部材112および114に隣接して配置され得、そしてこの第二のセンサに関連する１つ以上の組織パラメータ（例えば、組織インピーダンス、組織温度などに関する情報）を検出してこの情報を発電機136の１つ以上の構成要素に通信するように構成され得る。密封の質が十分であることを発電機136が決定する例において、発電機136は、電気外科エネルギーを切断要素134に提供して、密封された組織を切断する。
【００４３】
あるいは、発電機136は、デューティサイクルの終了の後に、密封された組織を切断するために、電気外科エネルギーを切断要素134に提供するように構成され得る。この例において、発電機136は、特定の所定の切断デューティサイクルに基づいて、電気外科エネルギーを切断要素134に提供し得る。
【００４４】
ある実施形態において、密封段階および／または切断段階は、組織が顎部材112と114との間に配置され、そして顎部材112および114がクランプ位置にある結果として、開始され得る。この例において、センサ101bは、組織が密封および／または切断の準備ができたことを発電機136に示す命令信号を送るように構成される。
【００４５】
理解され得るように、発電機136と通信するセンサ101aおよび101bを備える鉗子102に特有の構成は、組織を密封して電気外科的に切断する従来の鉗子と比較して、組織を密封して電気外科的に切断するための「手を用いない」代替物を提供する。
【００４６】
図7を参照すると、本開示の代替の実施形態による鉗子202が図示されている。鉗子202に特有の特徴のみが、詳細に記載される。スイッチアセンブリ208が、ハウジング204上に作動可能に配置され、そして組織を密封するために電気外科エネルギーを組織密封表面230aと232a、および230bと232bに提供するための発電機236と作動可能に通信している押下可能起動部材238を備える。しかし、起動部材38とは異なり、起動部材238は、最初の構成から１つのアクティブ構成へと移動可能である。
【００４７】
フットスイッチ201が、密封された組織を切断するために電気外科エネルギーを切断要素234に提供するための発電機236と作動可能に通信している。具体的には、組織が密封された後に、外科医はフットスイッチ201を起動させて（例えば、押下して）、密封された組織を切断する。フットスイッチ201は、このフットスイッチの起動が発電機236に信号を送って、所定の切断デューティサイクルを有する切断段階を開始させるように構成され得る。この例において、発電機236は、この切断のデューティサイクルの持続時間にわたって、電気外科エネルギーを切断要素234に提供する。フットスイッチ201は、この切断デューティサイクルを中断または停止するように構成され得る。例えば、外科医は、このデューティサイクル中にフットスイッチ201を押下し得る。フットスイッチ２０１が種々の異なる様式で機能するように構成され得ることを、当業者は理解する。例えば、１つの特定の実施形態において、発電機２３６は、フットスイッチ２０１と起動部材238との両方がアクティブ構成にあるときに、電気外科エネルギーを切断要素234に提供する。
【００４８】
図8Aおよび図8Bを参照すると、本開示の代替の実施形態による鉗子302が図示されている。鉗子302に特有の特徴のみが、詳細に記載される。レバーアセンブリ323が、ハウジング304に作動可能に配置され、そして第二のスイッチアセンブリ325を介して発電機336と作動可能に通信している。レバー323は、ラッチが掛かった構成(図8A)からラッチが外れた構成(図8B)へと移動可能である。このラッチが外れた構成において、レバー323の下部分327はスイッチ325に接触し、この接触は次に、電気外科エネルギーを切断要素334に提供する。電気外科エネルギーは、切断のデューティサイクルに従って切断要素334に提供され得、そしてレバー323が移動してスイッチ325と接触しなくなる結果として、中断され得る。
【００４９】
ハンドルアセンブリ306の可動ハンドル324は、顎部材310を開いた構成から閉じた構成へと移動させるように構成される。さらに、可動ハンドル324は、可動ハンドル324が所定の距離だけ近位方向に移動する結果として、レバー323をラッチが掛かった構成(これは、顎部材が開いた構成にあることに対応する。例えば、図1Aを参照のこと)からラッチが外れた構成(これは、顎部材が閉じた構成にあることに対応する。明示的には示さない)へと移動させるように構成される。
【００５０】
図9を参照すると、本開示の代替の実施形態による鉗子402が図示されている。鉗子402に特有の特徴のみが、詳細に記載される。スイッチアセンブリ408は、起動部材438および選択機450を備える。選択機450は、外科医が鉗子402を１つ以上の作動モード（密封モード、切断モード、および任意の自動モード）に選択的に置くことを可能にするように構成される。密封モード、切断モード、および任意の自動モードは、上に記載されたような様式で実施される(例えば、図2A〜図2Cおよび図6に図示される実施形態に関する上記のものを参照のこと)。
【００５１】
選択機450は、任意の適切な型の選択機（スライド、ボタン、および突出部などが挙げられるが、これらに限定されない）であり得るか、または説明の目的で、この選択機は、ハウジングの左側もしくは右側のいずれかに位置し得る、回転ダイヤルとして示される。図9に図示される実施形態において、起動部材438および選択機450を備えるスイッチアセンブリ408は、ハウジング404上に作動可能に支持される。特定の実施形態において、選択機450を備えるスイッチアセンブリ408は、ハウジング404上に作動可能に支持され得、そしてフットスイッチ401は、上記のような様式で利用され得る（図7に図示される実施形態に関する議論を参照のこと）。あるいは、特定の例において、スイッチアセンブリ408は除外され得、そしてスイッチアセンブリ408によって提供される機能は、フットスイッチ401によって提供され得る。
【００５２】
図10を参照すると、本開示の代替の実施形態による鉗子502が図示されている。鉗子502に特有の特徴のみが、詳細に記載される。タッチスクリーン560がハウジング504上に作動可能に配置され、そしてコンピュータ570と作動可能に通信している。１つのコンピュータ570が、この図に図示されている。コンピュータ570は、ハウジング504または発電機536のいずれに配置されてもよい。説明の目的で、コンピュータ570は、ハウジング504に配置されて示されている。コンピュータ570は、タッチスクリーン560により提供される情報を処理するように構成されており、そしてこの情報を、発電機534に関連する１つ以上の構成要素に通信する。
【００５３】
タッチスクリーン560は、１つ以上のタッチスクリーンボタンを備える。図10に図示される実施形態において、タッチスクリーン560は、タッチスクリーンの密封ボタン561およびタッチスクリーンの切断ボタン562を備える(任意のタッチスクリーンの自動ボタンもまた提供され得る)。密封段階を開始するために、外科医は、指(または受動物体（例えば、スタイラス）)でタッチスクリーンの密封ボタン561を押下し、そして切断段階を開始するために、外科医は、タッチスクリーンの切断ボタン562を押下する。電気外科エネルギーが、本明細書中で上に記載された様式で、鉗子502に提供されて組織を密封および切断する。
【００５４】
タッチスクリーン560は、密封段階または切断段階のいずれかの間に、情報を外科医に表示するように構成され得る。タッチスクリーン560が表示する情報としては、日付および時刻、密封時間、切断時間、密封またはデューティサイクルのいずれかの残り時間、組織パラメータ、電力出力などが挙げられ得るが、これらに限定されない。
【００５５】
図11を参照すると、本開示の代替の実施形態による鉗子602が図示されている。鉗子602に特有の特徴のみが、詳細に記載される。プログレッシブタッチパッド660が、１つ以上のコンピュータ670と作動可能に通信している。１つのコンピュータ670が、この図に図示されている。コンピュータ670は、ハウジング604または発電機636のいずれに配置されてもよい。説明の目的で、コンピュータ670は、ハウジング604に配置されて示されている。コンピュータ670は、タッチパッド660により提供された情報を処置するように構成され、そしてこの情報を、発電機634と関連する１つ以上の構成要素に通信する。切断段階を起動するために、外科医は、自分の指(または受動物体（例えば、スタイラス）)を、タッチパッド660のスクリーン上で滑らせる。
【００５６】
図12Aおよび図12Bを参照すると、本開示の代替の実施形態による鉗子702が図示されている。鉗子702に特有の特徴のみが、詳細に記載される。スイッチアセンブリ708がハウジング704上に作動可能に配置され、そして本明細書中で先に記載されたように電気外科エネルギーを供給するための発電機736と作動可能に通信して配置された対応するスイッチ756と通信する、磁気で起動する起動部材738を備える(図12A)。磁気で起動する起動部材738は、ハウジング704内に配置され、そしてシャフト716の近位端720に隣接して位置し、そしてこの近位端に回転可能に結合される。
【００５７】
磁気で起動する起動部材738は、１つ以上の磁石755(図12B)を備え、これらの磁石は、対応するスイッチ756(図12A)を開閉させるように構成される。図12Aおよび図12Bに図示される実施形態において、磁気で起動する起動部材738は、対応する第一のスイッチ756aを閉じるように構成された１対の第一の磁石755a、および対応する第二のスイッチ756bを閉じるように構成された１対の第二の磁石755bを備える(図12B)。具体的には、磁石755aおよび755bが、対応するスイッチ756aおよび756bと接触させられる(または近接させられる)と、スイッチ756aおよび756bは、命令信号を発電機736に提供する。より具体的には、磁石755aが第一のスイッチ756aと接触させられる(または近接させられる)と、電気外科エネルギーが提供されて組織を密封する。１つの特定の実施形態において、磁気で起動する起動部材738をその最初の構成(図12B)から左に４分の１回転させると、磁石755aが第一のスイッチ756aと接触して(または近接して)置かれ、そして電気外科エネルギーが提供されて組織を密封する。同様に、磁石755bが第一のスイッチ756bと接触する(または近接する)と、電気外科エネルギーが提供されて組織を切断する。１つの特定の実施形態において、磁気で起動する起動部材738をその最初の構成から右に２分の１回転させると、磁石755bが第二のスイッチ756bと接触して(または近接して)置かれ、そして電気外科エネルギーが提供されて組織を切断する。
【００５８】
スライド751(または他の適切なデバイス)が、磁気で起動する起動部材738を４分の１回転と２分の１回転との間で移動させるために、利用され得る。この例において、スライド７５１を左に移動させると、磁気で起動する起動部材738がその最初の構成から左に４分の１回転移動し、そしてスライド７５１を右に移動させると、磁気で起動する起動部材738がその最初の構成から左に２分の１回転移動する。
【００５９】
あるいは、磁気で起動する起動部材738は、シャフト716上に固定されて支持され得、その結果、シャフト716の回転は、第一の磁石755aおよび第二の磁石755bを、対応するスイッチ756aおよび756bと接触(または近接)させる。
【００６０】
上記のことから、種々の図面を参照して、当業者は、特定の改変が、本開示の範囲から逸脱することなく、本開示に対してなされ得ることを理解する。例えば、上記スイッチアセンブリは、本明細書中で、鉗子2の作動構成要素であるように記載されたが、これらのスイッチアセンブリのうちの１つ以上が鉗子2に取り外し可能に結合可能であり得るモジュール構成要素として構成され得るように提供することは、本開示の範囲内である。
【００６１】
さらに、鉗子2または発電機36のいずれかは、外科医と通信するための無線技術を備え得、その結果、外科医は、組織が顎部材12と14との間に把持されているときに、密封段階と切断段階との間を切り替え得る。この例において、例えば「Bluetooth（登録商標）」技術が、鉗子2または発電機36のいずれかに含まれ得る。
【００６２】
本開示の数個の実施形態が図面に示されたが、本開示はこれらに限定されることを意図されない。なぜなら、本開示は当該分野が許容すると同程度に範囲が広いこと、および本明細書も同様に読まれることが意図されるからである。従って、上記説明は、限定であると解釈されるべきではなく、単に、特定の実施形態の例示であると解釈されるべきである。当業者は、添付の特許請求の範囲の趣旨および範囲内で、他の改変を予測する。
【符号の説明】
【００６３】
2  鉗子
4  ハウジング
6  ハンドルアセンブリ
8  起動スイッチアセンブリ
10  電極アセンブリ
12、14  顎部材
16  シャフト
18  遠位端
20  近位端
22  固定ハンドル
24  可動ハンドル
【図１Ａ】
2013233429.tif 000003
【図１Ｂ】
2013233429.tif 000004
【図２Ａ】
2013233429.tif 000005
【図２Ｂ】
2013233429.tif 000006
【図２Ｃ】
2013233429.tif 000007
【図３Ａ】
2013233429.tif 000008
【図３Ｂ】
2013233429.tif 000009
【図４】
2013233429.tif 000010
【図５】
2013233429.tif 000011
【図６】
2013233429.tif 000012
【図７】
2013233429.tif 000013
【図８】
2013233429.tif 000014
【図９】
2013233429.tif 000015
【図１０】
2013233429.tif 000016
【図１１】
2013233429.tif 000017
【図１２Ａ】
2013233429.tif 000018
【図１２Ｂ】
2013233429.tif 000019